(57)【要約】【課題】  手摺の取付け、取外し操作を容易にする手摺装置を提供すること。【解決手段】  隣り合うように配置される少なくとも二つの縦支柱１，１と、各縦支柱１，１に設けられ手摺３ａ，３ｂを保持する手摺取付け部材２と、隣り合う手摺取付け部材２にそれぞれ保持された各手摺３ａ，３ｂ同士を連結させる手摺連結部材４とを備え、手摺連結部材４が、筒体５と、筒体５に形成した一対の開口部５Ｃ，５Ｃと、各開口部５Ｃ，５Ｃに対してそれぞれ対向して設けた一対の手摺位置決め部材６，６とを有し、各手摺位置決め部材６が、ストップピン７と、ストップピン７を開口部５Ｃ方向に付勢するバネ８とを有し、手摺３ａ，３ｂが、筒体５に挿入される際に上記開口部５Ｃと対向する孔３ｃを有することを特徴とする手摺装置。【選択図】  図１
2020007785.tif 000002
【特許請求の範囲】
【請求項１】
隣り合うように配置される少なくとも二つの縦支柱（１），（１）と、上記各縦支柱（１），（１）に設けられ手摺（３ａ），（３ｂ）を保持する手摺取付け部材（２）と、隣り合う上記手摺取付け部材（２）にそれぞれ保持された上記各手摺（３ａ），（３ｂ）同士を連結させる手摺連結部材（４）とを備え、
上記手摺連結部材（４）が、筒体（５）と、上記筒体（５）に形成した一対の開口部（５Ｃ），（５Ｃ）と、上記各開口部（５Ｃ），（５Ｃ）に対してそれぞれ対向して設けた一対の手摺位置決め部材（６），（６）とを有し、
上記各手摺位置決め部材（６）が、ストップピン（７）と、上記ストップピン（７）を上記開口部（５Ｃ）方向に付勢するバネ（８）とを有し、
上記手摺（３ａ），（３ｂ）が、上記筒体（５）に挿入される際に上記開口部（５Ｃ）と対向する孔（３ｃ）を有することを特徴とする手摺装置。
【請求項２】
上記手摺位置決め部材（６）は、底部（１０ａ）と上記底部（１０ａ）の両端部から起立する一対の側部（１０ｂ），（１０ｂ）を有するとともに、上記底部（１０ａ）に上記ストップピン（７）が出没自在に挿入されるピン挿入孔（１１）が設けられたケース（１０）を備え、
上記ストップピン（７）は、上記開口部（５Ｃ）に対して出入自在なピン本体（７Ａ）と、上記ピン本体（７Ａ）から径方向に突出する係止ピン（９）とを有し、
上記側部（１０ｂ），（１０ｂ）は、上記ストップピン（７）を上記開口部（５Ｃ）から抜いた状態で、上記係止ピン（９）を引掛け可能な係止溝（１２）を有し、
上記バネ（８）は、圧縮コイルバネであって、上記ピン本体（７Ａ）の外周に配置されるとともに、上記係止ピン（９）と上記底部（１０ａ）の間に介装されることを特徴とする請求項１に記載の手摺装置。
【請求項３】
上記ピン本体（７Ａ）の上記ケース（１０）外に突出する端部に把持可能な把持部（１３）が取り付けられていることを特徴とする請求項２に記載の手摺装置。
【請求項４】
上記手摺位置決め部材（６）は、上記筒体（５）の外面にブラケット（１９）を介して取付けられ上記筒体（５）の軸方向に対して直交する方向に沿う軸（２０）を備え、
上記バネ（８）は、上記軸（２０）に巻きついて固定されるカール部（１８Ｂ）と、上記カール部（１８Ｂ）から上記筒体（５）の軸方向に沿って両側に延びる一対のバネ部（１８Ａ），（１８Ａ）とを有してなるねじりコイルバネであって、
上記各バネ部（１８Ａ），（１８Ａ）の先端にそれぞれ上記ストップピン（７）が取り付けられていることを特徴とする請求項１に記載の手摺装置。
【請求項５】
上記手摺位置決め部材（６）は、上記筒体（５）の外面に設けられたブラケット（２９）を備え、
上記バネ（８）は、中央が上記ブラケット（２９）に固定された断面台形状又はＣ字状のバネ本体（２８Ａ）と、上記バネ本体（２８Ａ）の両端部からそれぞれ上記筒体（５）の軸方向に沿って延びる一対の支持片（２８Ｂ），（２８Ｂ）とを有する板バネであって、
上記各支持片（２６Ｂ）にそれぞれ上記ストップピン（７）が取付けられていることを特徴とする請求項１に記載の手摺装置。
【請求項６】
上記縦支柱（１）が、支柱本体（Ａ）と、上記支柱本体（Ａ）の基端に設けられて被取付部材に取付ける挟持部材（Ｂ）とからなり、上記支柱本体（Ａ）の上記挟持部材（Ｂ）に近接した外周位置に断面台形状又は断面Ｃ字状の補強部材（Ｃ）が取付けられていることを特徴とする請求項１から請求項５のいずれか一項に記載の手摺装置。
【発明の詳細な説明】
【技術分野】
【０００１】
本発明は、手摺装置に関し、特に建築物、構築物の建築、構築現場に設けたＨ鋼、足場板、その他の被取付部材に取付けて工事作業の安全を図る手摺装置に関するものである。
【背景技術】
【０００２】
一般に高層ビルディングの建築物、橋梁等の構築物の建築、構築工事、改築工事では工事位置に対応して手摺装置が設けられている。
【０００３】
この手摺装置は、Ｈ鋼のフランジや足場板等に挟持部材を介して起立した複数の縦支柱と、これらの縦支柱に取付けられた水平方向に延びる手摺とからなるもので、Ｈ鋼上や足場板上を歩行する作業者の安全を図っている。
【０００４】
このような、手摺装置としては、例えば、特許文献１に開示されているものが開発され、使用されている。特許文献１の手摺装置は、Ｈ鋼に挟持部材を介して取付けられＨ鋼の長手方向に沿って所定の間隔で設けられる複数の縦支柱と、各縦支柱の反挟持部材側に設けられ手摺を保持する手摺保持部材と、各手摺同士を連結する手摺連結部材とからなるものである。
【０００５】
そして、この手摺連結部材は、下方が開放された筒体と、筒体の各端部の下端にそれぞれ設けられ楔を挿入可能な一対の楔ガイド部とを備え、筒体の左右両側からそれぞれ手摺を挿入し、各手摺の端部を対向させた状態で各楔ガイド部に楔を挿入することで、手摺同士を連結するものである。
【先行技術文献】
【特許文献】
【０００６】
【特許文献１】特開２０１８−４４３４３号公報（図１、図７、段落００５５、要約参照）
【発明の概要】
【発明が解決しようとする課題】
【０００７】
上記特許文献１に示す手摺装置は、Ｈ鋼や足場板等の被取付部材の長さに応じて手摺を継ぎ足すことが出来るので、様々な場所で利用できる。
【０００８】
しかしながら、この手摺装置は構造上の欠陥があるわけではないが、次のような問題点の改善が望まれている。
【０００９】
即ち、この手摺装置の手摺連結部材は、筒体の下端に設けた楔ガイド部に挿入する楔を必要とするので手摺の取付け、取外し時にその都度工具を利用して楔の打ち込み、抜き取り操作が必要となり、楔の着脱操作が面倒である。
【００１０】
そこで、本発明の目的は手摺の取付け、取外し操作を容易にする手摺装置を提供することである。
【課題を解決するための手段】
【００１１】
上記の目的を達成させるため、本発明の手摺装置は隣り合うように配置される少なくとも二つの縦支柱と、上記各縦支柱に設けられ手摺を保持する手摺取付け部材と、隣り合う上記手摺取付け部材にそれぞれ保持された上記各手摺同士を連結させる手摺連結部材とを備え、上記手摺連結部材が、筒体と、上記筒体に形成した一対の開口部と、上記各開口部に対してそれぞれ対向して設けた一対の手摺位置決め部材とを有し、上記各手摺位置決め部材が、ストップピンと、上記ストップピンを上記開口部方向に付勢するバネとを有し、上記手摺が、上記筒体に挿入される際に上記開口部と対向する孔を有することを特徴とするものである。
【発明の効果】
【００１２】
本発明によれば次の効果を達成できる。
Ａ）ストップピンが筒体の開口部に対向して設けられているので、ストップピンがバネに付勢されて自動的に筒体に設けられた開口部と手摺の端部に設けられた孔内に侵入し、その結果自動的に手摺の先端が筒体内に位置決めされながら固定できるので手摺の位置決め操作が容易で、手摺装置の組立て作業のスピードアップを図れる。
Ｂ）手摺を外す時は、例えば、指でバネに抗してストップピンを開口部の外側に向けて引張操作するだけ良く、工具も必要としないので、操作性、経済性の向上を図れる。
Ｃ）手摺位置決め部材がストップピンと、バネとを備えていれば良く、構造が簡単で、加工性、組付け性、経済性の向上を図れる。
【図面の簡単な説明】
【００１３】
【図１】本発明に係る手摺装置の斜視図である。
【図２】図１の一部拡大斜視図である
【図３】（Ａ）は一実施の形態に係る手摺連結部材の一部切り欠き正面図、（Ｂ）は一部縦断側面図である。
【図４】（Ａ）は図３に示す手摺連結部材における筒体とガイド筒部の一部切欠き正面図、（Ｂ）は一部縦断側面図である。
【図５】（Ａ）は他の実施の形態に係る手摺連結部材の一部切欠き正面図、（Ｂ）は底面図である。
【図６】（Ａ）は図５に示す手摺連結部材における筒体の一部切欠き正面図、（Ｂ）は底面図である。
【図７】（Ａ）は図５に示すストップピンの平面図、（Ｂ）は正面図である。
【図８】（Ａ）は図５に示すバネの正面図、（Ｂ）は底面図である。
【図９】（Ａ）は更に別の実施の形態に係る手摺連結部材の一部切欠き正面図、（Ｂ）は底面図である。
【図１０】（Ａ）は図９に示す手摺連結部材における筒体の一部切欠き正面図、（Ｂ）は底面図である。
【図１１】（Ａ）は図９に示すストップピンの平面図、（Ｂ）は正面図である。
【図１２】（Ａ）は図９に示すバネの正面図、（Ｂ）は底面図である。
【発明を実施するための形態】
【００１４】
以下に、本発明の実施の形態を図に基づいて説明する。
【００１５】
図１〜図４は本発明の一実施の形態に係る手摺装置を示し、図５〜図８は本発明の他の実施の形態に係る手摺装置を示し、図９〜図１２は更に別の実施の形態に係る手摺装置を示している。
【００１６】
各実施の形態に係る手摺装置Ｔは、図１に示すように、建築物の建築工事現場や、構築物の構築工事現場に設けられている既設のＨ鋼Ｗに取付けられ、このＨ鋼Ｗを足場として使用している時、このＨ鋼Ｗから作業者が転落するのを防止するものである。なお、この手摺装置Ｔは建築、構築現場に設けた足場板に取付けても良い。
【００１７】
更に、この手摺装置Ｔは、Ｈ鋼Ｗや、足場板等の被取付部材が長い場合は一本の長い手摺を設けるのは困難であることから、複数の手摺を継ぎ足して様々な被取付部材に対応させることを主目的として開発されているものである。
【００１８】
各実施の形態に係る手摺装置Ｔの基本構造は、図１に示すように、隣り合うように配置される少なくとも二つの縦支柱１，１と、各縦支柱１，１に設けた手摺取付け部材２と、上記各手摺取付け部材２に保持される一対の手摺３ａ，３ｂと、隣り合う手摺取付け部材２，２に保持される各手摺３ａ，３ｂ同士を連結させる手摺連結部材４とを備えているものである。
【００１９】
上記手摺連結部材４は、図２〜図４に示すように、筒体５と、筒体５に形成した一対の開口部５Ｃ，５Ｃと、各開口部５Ｃ，５Ｃに対してそれぞれ対向して設けた一対の手摺位置決め部材６，６とから構成されている。
【００２０】
そして、各手摺位置決め部材６は、ストップピン７と、ストップピン７を開口部５Ｃ方向に付勢するバネ８とを有し、手摺３ａ，３ｂは、筒体５に挿入された際に開口部５Ｃと対向する孔３ｃを有している。
【００２１】
以下、各部について詳細に説明する。縦支柱１は、図１に示すように、支柱本体Ａと、支柱本体Ａの基端に設けられてＨ鋼ＷのフランジＦを挟持してＨ鋼Ｗに取付けられる挟持部材Ｂとからなり、また、支柱本体Ａの挟持部材Ｂに近接した外周位置に断面台形状の板バネからなる補強部材Ｃが取り付けられている。
【００２２】
詳細には、補強部材Ｃは、断面台形状であって両端部が支柱本体Ａの外面に溶着された本体部Ｃ１と、本体部Ｃ１の下端から延びて挟持部材Ｂに連結される支持片Ｃ２を有する。なお、本例では本体部Ｃ１は、断面台形状であるが断面Ｃ字状であってもよい。
【００２３】
この補強部材Ｃは手摺装置Ｔを外側に倒す方向に荷重が作用して縦支柱１の基端側に回転方向のモーメントが発生しても、この縦支柱１の曲げや破損を防止させるものである。
【００２４】
また、挟持部材Ｂは、支柱本体Ａの基端に連結され互いに対向する一対の板部Ｂ４，Ｂ４を有する断面コ字状の挟持片Ｂ１と、支柱本体Ａ側の板部Ｂ４に貫通し軸方向移動自在に設けられたボルトＢ２と、ボルトＢ２の下端に設けられた皿Ｂ３とで構成されている。
【００２５】
そして、Ｈ鋼ＷのフランジＦに挟持片Ｂ１を差し込み、ボルトＢ２を締め付けると、ボルトＢ２が図中下方に移動して、図中下側の板部Ｂ４と皿Ｂ３とでフランジＦを挟持するため、縦支柱１をＨ鋼Ｗに起立させることができる。
【００２６】
続いて、手摺取付け部材２は、図１に示すように、各縦支柱１の上端に設けられ手摺３ａ（３ｂ）を挿通可能な筒部２Ａと、この筒部２Ａに着脱自在に嵌合される楔Ｋとから構成され、筒部２Ａに手摺３ａ（３ｂ）を挿入した状態で楔Ｋを筒部２Ａと手摺３ａ（３ｂ）の間に圧入することで、手摺３ａ（３ｂ）が手摺取付け部材２によって保持される。
【００２７】
また、手摺連結部材４は、前述したように、手摺３ａ（３ｂ）を挿入可能な筒体５と、筒体５に形成した一対の開口部５Ｃ，５Ｃと、各開口部５Ｃ，５Ｃに対してそれぞれ対向して設けた一対の手摺位置決め部材６，６とから構成されている。
【００２８】
詳細には、図４に示すように、筒体５の軸方向中央には、覗き孔５Ａが形成されており、覗き孔５Ａを挟んで図４中左右にそれぞれ開口部５Ｃ，５Ｃが形成されている。なお、図示するところでは、筒体５は、断面正方形に形成されているが、筒体５の断面形状は、手摺３ａ，３ｂの断面形状に一致するようにされているため、例えば手摺３ａ，３ｂの断面形状が円状の場合には、断面円筒状に形成される。
【００２９】
次に、本発明の一実施の形態に係る手摺位置決め部材６を図２〜図４に基づいて説明する。
【００３０】
図２〜図４に示す手摺位置決め部材６は、筒体５の開口部５Ｃを覆うように設けられ底部１０ａと底部１０ａの両端部から起立する一対の側部１０ｂ，１０ｂを有する断面コ字状のケース１０と、底部１０ａに形成されたピン挿入孔１１に出没自在に挿入されたストップピン７と、ストップピン７を開口部５Ｃ側に向けて付勢するバネ８とを備える。
【００３１】
ストップピン７は、ピン挿入孔１１に挿通され開口部５Ｃに挿入可能なピン本体７Ａと、ピン本体７Ａから径方向に突出する一対の係止ピン９，９とを有し、一対の係止ピン９，９は、同一軸上に配置されている。
【００３２】
また、ストップピン７のケース１０の外方に突出する側の端部には、作業者が把持可能な把持部としてのリング１３が取り付けられている。
【００３３】
本実施の形態に係るバネ８は、圧縮コイルバネであって、ストップピン７の外周に配置されるとともに係止ピン９とケース１０の底部１０ａとの間に介装されて、ストップピン７を開口部５Ｃ側に向けて付勢している。
【００３４】
また、ケース１０の各側部１０ｂ，１０ｂには、互いに反対向きに切り欠かれて形成されて、ピン本体７Ａが開口部５Ｃに挿入されていない状態で各係止ピン９，９を引掛け可能な係止溝１２がそれぞれ設けられている。
【００３５】
この手摺位置決め部材６によれば、ストップピン７のケース１０外に突出する端部には把持部としてのリング１３が取り付けられており、通常は図３中左側に示すように、リング１３を把持して、ストップピン７をバネ８Ａに抗して外方に引き寄せながら回動することにより係止ピン９を係止溝１２に係合しておき、ストップピン７の軸方向の動きを止めておく。なお、把持部はリング１３でなくとも良く、作業者が把持できるようになっていれば形状や構成は特に限定されない。
【００３６】
次に、この手摺位置決め部材６で手摺３ａ，３ｂの端部同士を対向させた状態で位置決めする場合は、予め筒体５の両側からそれぞれ手摺３ａ，３ｂの端部を差し込み、各手摺３ａ，３ｂの端部が筒体５の中央にあるかどうかを覗き孔５Ａから目視しておく。この際、各手摺３ａ，３ｂの端部が覗き孔５Ａの中央位置で向き合うと、各手摺３ａ，３ｂの端部に設けられた孔３ｃが筒体５の開口部５Ｃに対して対向するようになっているため、孔３ｃと開口部５Ｃの位置合わせが容易になる。
【００３７】
そして、各手摺３ａ，３ｂの先端同士が覗き孔５Ａの中央位置で対向していることを視認後、リング１３を把持しつつストップピン７を回転させて係合ピン９をケース１０の側部１０ｂの設けられていない開口側に向けるようにして係止ピン９の係止溝１２に対する係合を解除すると、係止ピン９とケース１０の底部１０ａの間に介装されたバネ８でストップピン７が押されて、このストップピン７の先端が筒体５の各開口部５Ｃと各手摺３ａ，３ｂの端部に設けられた孔３ｃに嵌合する。
【００３８】
その結果、各手摺３ａ，３ｂは、ストップピン７を介して、筒体５内に端部を対向させた状態で位置決めされ連結される。なお、本例では、各手摺３ａ，３ｂの端部を離間させた状態で、手摺３ａ，３ｂ同士を連結しているが、当接している状態で連結されてもよい。
【００３９】
また、手摺位置決め部材６を複数設けることで、複数の手摺３ａ，３ｂを横方向に沿って連結でき、Ｈ鋼Ｗ等の被取付部材の長さに対応できる。
【００４０】
そして、手摺３ａ，３ｂを孔３ｃと開口部５Ｃから抜くときは、リング１３を指で引張り、ストップピン７を引き抜けば良い。
【００４１】
この場合、ストップピン７をリング１３を介して手動で回転し、係止ピン９を係止溝１２に引掛けることでストップピン７の軸方向の動きを阻止させることができるため、ストップピン７を抜いた状態が維持される。
【００４２】
次に図５〜図８に示す他の実施の形態に係る手摺装置Ｔについて説明する。
【００４３】
この実施の形態に係る基本構造は上記の通りである。そして、この他の実施の形態に係る手摺装置Ｔの手摺位置決め部材６は、筒体５の外面に設けられたブラケット１９と、ブラケット１９に取付けられ筒体５の軸方向に対して直交する方向に沿う軸２０とを備え、バネ８は、軸２０に巻きついて固定されるカール部１８Ｂと、カール部１８Ｂから筒体５の軸方向に沿って両側に延びる一対のバネ部１８Ａ，１８Ａとを有してなるねじりコイルバネであって、各バネ部１８Ａ，１８Ａの先端にそれぞれストップピン７が取り付けられている。
【００４４】
詳細には、ストップピン７が、図７に示すように、ピン本体１７Ａと、ピン本体１７Ａの外周に設けたフランジ１７Ｂと、ピン本体１７Ａに径方向に向けて形成した孔１７Ｃとで構成されており、孔１７Ｃにバネ部１８Ａの端部に形成された屈曲部１８Ｃを嵌合させて、ストップピン７をバネ部１８Ａを先端に取り付けている。
【００４５】
このため、図５（Ａ）に示すように、筒体５内に手摺３ａ、３ｂを挿入後、ストップピン７を筒体５の開口部５Ｃに対向させると自動的にバネ８のばね力でピン本体１７Ａの頭部が開口部５Ｃと手摺３ａ、３ｂの孔３ｃに自動的に嵌合し、各手摺３ａ、３ｂが筒体５内に位置合わせされながら連結される。
【００４６】
逆に筒体５から手摺３ａ、３ｂを抜くときは、例えば、指でバネ部１８Ａを外方へ引張り、ストップピン７を孔３ｃと開口部５Ｃから抜けば良い。
【００４７】
次に、図９〜図１２に示す更に別の実施の形態について説明する。この実施の形態の基本構造は上記した通りである。
【００４８】
この実施の形態に係る手摺位置決め部材６は、筒体５の外面に設けられたブラケット２９を備え、バネ８は、中央がボルト３０を介してブラケット２９に固定された断面台形状のバネ本体２８Ａと、バネ本体２８Ａの両端部からそれぞれ筒体５の軸方向に沿って延びる一対の支持片２８Ｂ，２８Ｂとを有し、各支持片２６Ｂにそれぞれストップピン７が取付けられている。なお、本例では、バネ本体２８Ａは、断面台形状に形成されているが、断面Ｃ字状であってもよい。
【００４９】
詳細には、ストップピン７は図１１に示すように、ピン本体２７Ａと、ピン本体２７Ａに軸方向に連続して設けられピン本体２７Ａよりも小径であって外周にねじ溝が設けられた小径部２７Ｂとで構成されており、小径部２７Ｂをバネ８の支持片２８Ｂに形成されたピン取付け孔２８Ｄに嵌合させ、小径部２７Ｂにナット部材（符示せず）を螺合することで、ストップピン７を支持片２６Ｂに取り付けている。
【００５０】
このため、図９（Ａ）に示すように、筒体５内に手摺３ａ，３ｂを挿入後、ストップピン７を筒体５の開口部５Ｃに対向させると自動的にバネ８のばね力でピン本体２７Ａの頭部が開口部５Ｃと手摺３ａ，３ｂの孔３ｃに自動的に嵌合し、各手摺３ａ，３ｂが筒体５内に位置合わせされながら連結される。
【００５１】
逆に筒体５から手摺３ａ，３ｂを抜くときは、例えば、指でバネ本体２８Ａを外方の引張り、ストップピン７を孔３Ｃと開口部５Ｃから抜けば良い。
【００５２】
以上のように、各実施の形態に係る手摺装置Ｔによれば、ストップピン７が筒体５の開口部５Ｃに対向して設けられているので、ストップピン７がバネ８に付勢されて自動的に開口部５Ｃと手摺３ａ，３ｂの孔３ｃ内に侵入し、その結果自動的に手摺３ａ，３ｂの先端が筒体５内に位置決めされながら固定できるので手摺の位置決め操作が容易でスピードアップを図れる。
【００５３】
手摺３ａ，３ｂを外す時は、例えば、指で、バネ８に抗してストップピン７を開口部５Ｃの外側に引張操作するだけ良く、工具も必要で無いので、操作性、経済性の向上を図れる。
【００５４】
さらに、手摺位置決め部材６がストップピン７と、バネ８とを備えていれば良く、構造が簡単で、加工性、組付け性、経済性の向上を図れる。
【００５５】
また、前述したように、図１〜図５に示す実施の形態に係る手摺位置決め部材６は、底部１０ａと底部１０ａの両端部から起立する一対の側部１０ｂ，１０ｂを有するとともに、底部１０ａにストップピン７が出没自在に挿入されるピン挿入孔１１が設けられたケース１０を備え、ストップピン７は、開口部５Ｃに対して出入自在なピン本体７Ａと、ピン本体７Ａから径方向に突出する係止ピン９とを有し、側部１０ｂ，１０ｂは、ストップピン７を上記開口部５Ｃから抜いた状態で、係止ピン９を引掛け可能な係止溝１２を有し、バネ８は、圧縮コイルバネであって、ピン本体７Ａの外周に配置されるとともに、係止ピン９と底部１０ａの間に介装されている。
【００５６】
この構成によると、ストップピン７を開口部５Ｃと手摺３ａ，３ｂの孔３ｃから抜いた状態に維持できるため、筒体５内に手摺３ａ，３ｂ内に挿入する作業が容易となる。
【００５７】
また、本例では、一対の係止ピン９，９を同一軸上に配置しているため、バネ８の付勢力を均一にストップピン７に伝達できるので、ストップピン７の傾斜などが起こりにくく、ストップピン７をスムーズに開口部５Ｃから出し入れできる。ただし、係止ピン９を一つしか設けなくても良い。
【００５８】
また、ピン本体７Ａのケース１０外に突出する端部には、把持可能な把持部としてのリング１３が取り付けられているため、作業者がストップピン７の出し入れを容易にできる。
【００５９】
以上、本発明の好ましい実施の形態を詳細に説明したが、特許請求の範囲から逸脱なく改造、変形及び変更ができるのは当然である。
【符号の説明】
【００６０】
１・・・縦支柱、２・・・手摺取付け部材、３ａ，３ｂ・・・手摺、３ｃ・・・孔、４・・・手摺連結部材、５・・・筒体、５Ｃ・・・開口部、６・・・手摺位置決め部材、７・・・ストップピン、７Ａ・・・ピン本体、８・・・バネ、９・・・係止ピン、１０・・・ケース、１１・・・ピン挿入孔、１２・・・係止溝、１３・・・リング（把持部）、１８Ａ・・・バネ部、１８Ｂ・・・カール部、１９・・・ブラケット、２０・・・軸、２８Ａ・・・バネ本体、２８Ｂ・・・支持片、２９・・・ブラケット
【図１】
2020007785.tif 000003
【図２】
2020007785.tif 000004
【図３】
2020007785.tif 000005
【図４】
2020007785.tif 000006
【図５】
2020007785.tif 000007
【図６】
2020007785.tif 000008
【図７】
2020007785.tif 000009
【図８】
2020007785.tif 000010
【図９】
2020007785.tif 000011
【図１０】
2020007785.tif 000012
【図１１】
2020007785.tif 000013
【図１２】
2020007785.tif 000014